(57)【特許請求の範囲】
【請求項１】
壁モジュール（１００）を有する、家具、陳列構造等のためのモジュラーシステム（１０）であって、前記壁モジュール（１００）の各々が、
互いに対向して配置された壁面（１０１、１０２）と、
前面（１０５）と、前記前面（１０５）に対向して配置された後面（１０６）と、
互いに対向して配置され、前記壁モジュール（１００）を互いに連結するための連結部材（１５０、１５５、１５９、１６０、１７０）を備える接触領域（１０３、１０４）であって、前記連結部材が、少なくとも１つのＬ字形、Ｔ字形、または十字形の断面領域を有する接触領域（１０３、１０４）と
を備えるモジュラーシステムにおいて、
前記壁モジュール（１００）が、その各々で、凹部（１１０）の形状に適合する、前記連結部材（１５０、１５５、１５９、１６０、１７０）の１つの部分（１５０ａ、１５０ｂ、１６０ａ〜１６０ｃ、１７０ａ〜１７０ｄ）を受けるための少なくとも１つの前記凹部（１１０）を有し、
前記凹部（１１０）が、
前記壁モジュール（１００）の片側の前記接触領域（１０３、１０４）から、前記壁モジュール（１００）のもう一方の側にある、前記接触領域に対向して配置された前記接触領域（１０３、１０４）の方向に延び、
前記壁面（１０１、１０２）から、反対側の壁面（１０２、１０１）の方向に前記壁モジュール（１００）を通り、
互いに対向して配置された前記前面（１０５）と前記後面（１０６）との部分（１０５ａ、１０６ａ）同士の間に配置され、
前記連結部材（１５０、１５５、１５９、１６０、１７０）の前記部分（１５０ａ、１５０ｂ、１６０ａ〜１６０ｃ、１７０ａ〜１７０ｄ）の範囲が、それらが前記壁モジュール（１００）の前記凹部（１１０）の中に、互いに対向して配置された、前記壁モジュール（１００）の前記壁面（１０１、１０２）に垂直な方向に挿入されるときに、互いに対向して配置された、前記壁モジュール（１００）の前記壁面（１０１、１０２）同士の間の距離に対応し、
前記家具、陳列構造等を組み立てた状態で、前記凹部（１１０）の領域に連続した平らな材料表面が存在し、
前記接触領域（１０３、１０４）同士の間の直接連結の方向に延びるほぞ（１８１）が、前記壁モジュール（１００）の前記凹部（１１０）内に設けられ、前記連結部材が、前記ほぞ（１８１）を正確に受けるための穴（１５１）を有する少なくとも１つの部分（１５０ａ、１５０ｂ、１６０ａ〜１６０ｃ、１７０ａ〜ｄ）を有することを特徴とする家具、陳列構造等のためのモジュラーシステム（１０）。
【請求項２】
前記連結部材（１５０、１６０、１７０）が、互いに連結したＬ字形、Ｔ字形、または十字形の形状の棒状部分（１５０ａ、１５０ｂ、１６０ａ〜１６０ｃ、１７０ａ〜１７０ｄ）を有すること、および前記連結部材（１５０、１６０、１７０）の前記棒状部分（１５０ａ、１５０ｂ、１６０ａ〜１６０ｃ、１７０ａ〜１７０ｄ）の長方形の断面（Ｑ）の範囲が、前記断面（Ｑ）を画定する前記長方形の一辺の方向では、互いに対向して配置された、前記壁モジュール（１００）の前記壁面（１０１、１０２）の前記距離に対応し、かつ前記長方形のもう一方の辺の方向では、前記壁モジュール（１００）の前記前面（１０５）と前記後面（１０６）との間の直接連結の方向における前記凹部（１１０）の範囲に対応することを特徴とする請求項１に記載の家具、陳列構造等のためのモジュラーシステム（１０）。
【請求項３】
前記連結部材（１５０、１５５、１５９、１６０、１７０）の少なくとも１つの部分（１５０ａ、１５０ｂ、１６０ａ〜１６０ｃ、１７０ａ〜ｄ）が、ねじ穴（１７１）を有し、前記連結部材（１５０、１５５、１５９、１６０、１７０）が、前記部分（１５０ａ、１５０ｂ、１６０ａ〜１６０ｃ、１７０ａ〜ｄ）により、意図通りに前記壁モジュール（１００）の前記凹部（１１０）に挿入されるときに、前記ねじ穴（１７１）が、前記壁モジュール（１００）の前記前面（１０５）と前記後面（１０６）との間の直接連結の方向に延びていることを特徴とする、請求項１又は請求項２に記載の家具、陳列構造等のためのモジュラーシステム（１０）。
【請求項４】
少なくとも１つの前記連結部材（１５０、１６０、１７０）が、ねじに設けられた家具足（１９１）を、調節可能に受けるためのねじ穴（１９０）有することを特徴とする、請求項１乃至請求項３の何れか一項に記載の家具、陳列構造等のためのモジュラーシステム（１０）。
【請求項５】
前記凹部（１１０）が、前記壁モジュール（１００）の前記前面（１０５）および前記後面（１０６）から、等距離の間隔を空けられていることを特徴とする、請求項１乃至請求項４のいずれか一項に記載の家具、陳列構造等のためのモジュラーシステム（１０）。
【請求項６】
前記接触領域（１０３、１０４）が、くさび形として構成され、前記壁面（１０１、１０２）を始点として、互いに収束するように、前記壁面から４５度の角度で外向きに延びるサブ領域（１０３ａ、１０３ｂ、１０４ａ、１０４ｂ）を備えることを特徴とする、請求項１乃至請求項５のいずれか一項に記載の家具、陳列構造等のためのモジュラーシステム（１０）。
【請求項７】
家具または陳列構造のアイテムであって、前記家具または陳列構造のアイテムが、少なくとも部分的に、請求項１乃至請求項６のいずれか一項に記載の家具、陳列構造等のためのモジュラーシステム（１０）に基づいていることを特徴とする、家具または陳列構造のアイテム。
【請求項８】
前記家具または陳列構造の前記アイテムが立っている床に垂直に配置された、壁モジュール（１００）の負荷が、各々の前記壁モジュール（１００）を、前記床に垂直に配置された、隣接する前記壁モジュール（１００）に連結する連結部材（１５０、１５５、１５９、１６０、１７０）へと、前記床に向かう方向に渡され、かつ前記連結部材（１５０、１５５、１５９、１６０、１７０）から、この隣接する壁モジュール（１００）へと伝達されることを特徴とする、請求項７に記載の家具または陳列構造のアイテム。
【請求項９】
異なる壁モジュール（１００）の接触領域（１０３、１０４）のサブ領域（１０３ａ、１０３ｂ、１０４ａ、１０４ｂ）が、互いに支持されていることを特徴とする、請求項７又は請求項８に記載の家具または陳列構造のアイテム。
【発明の詳細な説明】
【技術分野】
【０００１】
本発明は、特に家具、陳列構造等のためのモジュラーシステム、および家具または陳列構造のアイテムに関する。
【背景技術】
【０００２】
家具、陳列構造等は、すぐに使える状態や組み立て済みの状態で配達されることが次第に極めて少なくなり、個別の部品のセットとして、配達と同時に、供給業者または購入者の取次店によって、あるいは購入者が自分で買った場合は、購入者によって組み立てられる。
【０００３】
この進展の結果、家具、陳列構造、さらには部屋構造等でさえも組み立て可能な、モジュラーシステムが生成されてきた。家具、陳列構造等のための、このようなモジュラーシステムの１つは、通常、壁、天井、および／または床のモジュール等の、一連の規格化された家具または陳列台の構成部品から成り、これは、本明細書では「壁モジュール」および連結部材という概念にまとめられ、これによりこれらの規格化された部品は互いに連結可能である。
【０００４】
構成部品を組み合わせることによって、および／または構造自体を変化させることによって、モジュラーシステムから組み立てられた家具または陳列構造のアイテムは、取り付けるべき空間だけでなく、顧客の所望であり理想である空間に、簡単かつ柔軟に適応させることができる。顧客にとってのこの明らかな利点に加えて、このようなモジュラーシステムは、それにもかかわらず、製造者にも実質的な利点をもたらす。家具や陳列構造の全く異なるアイテムの広範な取り合わせを、数個の個別の構造的構成部品に基づいて提供できるので、そのそれぞれを、その場合簡便な方法で大量に製造することができるからである。
【０００５】
家具、陳列構造等のためのこのようなモジュラーシステムは、例えば、国際公開第２００５／０８７０４８号Ａ１パンフレット、ドイツ特許公開第１０２００７０４３５６１号Ａ１明細書、およびドイツ特許公開第１０２００７０４３５６４号Ａ１明細書で知られている。
【先行技術文献】
【特許文献】
【０００６】
【特許文献１】国際公開第２００５／０８７０４８号Ａ１パンフレット
【特許文献２】ドイツ特許公開第１０２００７０４３５６１号Ａ１明細書
【特許文献３】ドイツ特許公開第１０２００７０４３５６４号Ａ１明細書
【発明の概要】
【発明が解決しようとする課題】
【０００７】
しかしながら、これらの公開特許から知られる家具、陳列構造等のためのモジュラーシステムでは、連結部材の基本的にプレート状の部分は、少なくとも部分品として、壁モジュールに設けられた溝で受けられ、この壁モジュールの溝は、組み立てられた家具を正対する位置から見た場合の前面から、この前面に対向して配置された後面へと延び、壁モジュールの壁面の表面領域間に位置する。すなわち、家具の組み立てられたアイテムにあるそれらの面が、その内部空間内あるいは外部空間に対して、同じ境界を画定しているということが問題となる。
【０００８】
この溝の幾何学的形状は、重い負荷にさらされた際に破損しがちであり、特に、壁モジュールが、その連結部材が挿入された状態で持ち上げられた場合、例えば、既に挿入されたコネクタの反対側に位置する壁モジュールの側面に、追加の壁モジュールを連結するために、家具または陳列台のアイテムを組み立てている際によくある事例である。
【課題を解決するための手段】
【０００９】
本発明の基礎となる技術的解題は、家具、陳列構造等のため、特に、複数の区画を有するラック様の部分のためのモジュラーシステムを提供することから成り、製造および取り付けが簡単でありながら、同時に、組み立てられたモジュールに高度な安定性をもたらすことである。
【００１０】
この課題は、請求項１の特徴を有する、家具、陳列構造等のためのモジュラーシステムによって解決される。本発明の、さらなる有利な展開は、従属する請求項の主題を含んでいる。
【００１１】
家具、陳列構造等のための、本発明によるモジュラーシステムは、通常、壁モジュールと、壁モジュール用の連結部材とを含む。壁モジュールは、このモジュールが家具のアイテムに組み込まれる場合は、家具または陳列台のアイテムの内壁または外壁の壁部分、もしくはその一部、例えば、ラック区画の壁、床、および／または天井だけでなく、家具のアイテムの床板、天井板、または側壁を形成する構成部品を含むものと理解される。
【００１２】
壁モジュールは、その各々が、やはり通常は、互いに対向して配置された壁面と、前面、および前面に対向して配置された後面と、互いに対向して配置された接触領域とを有している。
【００１３】
家具または陳列台の、組み立てられたアイテムの内部にある壁の面を画定する領域、特にラック区画の床、天井、および側面は、したがって、壁面として示される。
【００１４】
これに対し、本説明によれば、前面とは、家具または陳列台のアイテムが組み立てられた状態で、見る人の方に向いている壁モジュールの面であり、後面とは、前面に対向して配置された面であり、接触領域とは、家具または陳列台のアイテムが組み立てられた状態で、別の壁モジュールの接触領域と接触するようになされた、壁モジュールの面である。
【００１５】
念のため、これらの定義は、どの所与の壁モジュールに関しても明らかであることに注意されたい。壁モジュールは、意図的にプレートまたはボードとして形成され、つまり、扁平な直方体の基本形状の本体として形成され、壁面として使用可能な面は、当然、直方体形状の本体の、広い方の両面である。これに加えて、特に連結部材によって、他の壁モジュールとの接触が確立される接触領域は、連結部材によって、前側および後側の面が、互いにいかなる連結もすることができないため、モジュラーシステムから家具、陳列台等のアイテムを組み立てる使用者にとって、および当業者にとっては確実に、明確に区別することができる。
【００１６】
家具、陳列構造等のためのモジュラーシステムは、壁モジュールを互いに連結するための連結部材をさらに含み、連結部材の少なくとも１つの断面領域が、Ｌ字形、Ｔ字形、または十字形である。それらに付与された基本形状は、コネクタが、２つの壁モジュール用であるか、３つ用であるか、あるいは４つ用であるかを規定する。Ｌ字形の連結部材は、凹部に挿入する２つの部分を有し、Ｔ字形の連結部材は３つの部分を有し、十字形の連結部材は４つの部分を有し、その各々が、Ｌの２本の腕、Ｔの３本の腕、または十字の４本の腕で形成されているからである。
【００１７】
本発明の基本的なこととして、壁モジュールは、連結部材の１つの部分を、その各々で正確に受けるための少なくとも１つの凹部を有し、連結部材の１つの部分は、凹部の形状に適合し、凹部は、以下の条件を満たす。
第１に、壁モジュールの片側にある接触領域を始点として、それに対向して配置された壁モジュールのもう一方の側の、接触領域の方向に延びる。
第２に、１つの壁面から、それに対向して配置された壁面へと、壁モジュールを通る。
第３に、互いに対向して配置された前面と後面との、部分同士の間に配置される。
【００１８】
さらに、連結部材の部分の範囲は、互いに対向して配置された壁モジュールの壁面に垂直な方向に、凹部に挿入されるときに、互いに対向して配置された壁モジュールの、壁面の距離に対応する。この条件は、特に、壁モジュールの凹部に挿入されない面挿入ガイド、またはガイドレールを、壁モジュールの面の少なくとも１つの部分に設ける連結部材と、この連結部材とを区別している。凹部は、特に、連結部材の腕の断面が凹部の断面と適合する場合、または同一の断面が存在する場合に満たされる。
【００１９】
この設計は、一連の大きな利点をもたらす。特に、連結部材は、凹部に挿入されて、１つの壁面から反対側に配置された壁面へと壁モジュールを通り、前面と後面との間の総距離のうちのわずかな部分のみを横切って延びるので、負荷の下で、特に、家具または陳列構造のアイテムが組み立てられている間に、壁モジュールが傾けられた場合でも、壁モジュールが破損する危険性が著しく軽減される。
【００２０】
同時に、連結部材の部分の形状と凹部との間が相互に適合することによって、一方では、家具または陳列構造のアイテムが組み立てられた状態で、凹部の領域にも平坦で連続的な材料表面が存在することが保証され、これはラックの床として使用される壁モジュールには特に重要である。また他方では、この適合は、連結された状態で、正確に位置が合った、がたつきの少ない連結を生成する。
【００２１】
また、連結部材の寸法を、対向して配置された壁モジュールの壁面の距離に適合させることと組み合わせて、この手段によって非常に安定した連結部材がもたらされ、これが壁モジュールと広範に接触する。これは、家具、陳列構造等のアイテムが組み立てられる面に垂直に立っている壁モジュールにとって、とりわけ重要である。地面から離して配置された壁モジュールの負荷は、連結部材の中に伝わることができ、そこから、床に垂直に配置された隣の壁モジュールの方向に伝達されるので、効果的な負荷の伝達が生成され、家具、陳列構造、または部屋構造のアイテムの安定性にとって有利である。
【００２２】
連結部材は、その単純な形状ゆえに、連結部材の製造に関しても、壁モジュールに凹部を導入することに関しても、特に低コストに抑えることができる。連結部材は、互いに連結されるＬ字形、Ｔ字形、または十字形の部分の形状に、棒状部分を有することが好ましい。したがって、前述の形状の連結部材は、これもまた、鋳造または金属射出成形等で生成された１つの部品で形成され、相互に連結できる部分を有していることに注意しなければならない。
【００２３】
したがって、１つの部分は、その延長方向に真っ直ぐに、かつその延長方向に垂直に延び、少なくとも一部に、長方形の長辺の、長方形の短辺に対する比率が＜５、好ましくは＜２の長方形の断面、または正方形の断面を有する場合に、特に棒状である。しかしながら、部分が棒状であるためには、その断面に垂直な方向に、その部分に接する断面と平行な面を有することが、絶対に必要というわけではない。特に、この面は、曲面または半円形でもよく、その他の形状を有していてもよい。
【００２４】
さらにこの設計によれば、連結部材の棒状部分の長方形断面の範囲は、長方形の一辺の方向において、互いに対向して配置された壁ユニットの壁面の距離に対応し、かつ長方形のもう一方の辺の方向において、前面と後面との直接連結の方向で凹部の範囲に対応し、前面と後面との間の総距離のごくわずか、特に１／４未満であることが望ましい。
【００２５】
壁モジュールと連結部材との間の取り付けは、したがって、異なる方法で達成することができる。原則として、連結部材が、その部分の１つによって意図された通りに壁モジュールの凹部に挿入される場合、連結部材の１つの部分は、壁モジュールの前面と後面との間の直接連結の方向に延びる穴を有していれば十分である。次に、ねじが、前述の穴と係合するか、または穴に導入されるために、壁モジュールを通ることができる。対応する穴が、このために壁モジュールに有利に設けられるが、これもまた、組み立て中に最初に生成することができる。
【００２６】
代替的で好ましい可能性は、壁モジュールの凹部に、接触領域間の直接連結の方向に延びるほぞを設けることと、連結部材が、ほぞを正確に受けるための穴を有する少なくとも１つの部分を備えることである。ほぞの中に穴が、特にねじ穴が付加的に配置される場合は、壁モジュールの、対向して配置された壁面同士の間の連結の直線方向に延びる、円錐形の挿入部を有することが特に好ましく、穴でほぞを受ける連結部材のこの部分は、連結部材を壁モジュールに意図したように配置する、対応する穴を有する。この穴は、壁モジュールの、対向して配置された壁面同士の間の連結の直線方向に延び、その結果、壁モジュールと連結部材との間の連結は、これらの穴を通して、例えば、ねじがねじ込まれることによって固定することができる。これにより、挿入して、予め穿孔された（ねじ山をつけた）穴の中でねじを用いて固定するだけでよいため、組み立て中に、壁モジュールを非常に簡単に固定することができる。
【００２７】
特に、壁モジュールにねじ込まれるペグをほぞとして用いることができ、これは例えば、Ｓｃｈｅｕｌｅｎｂｕｒｇｄｉｒｅｋｔ  ＧｍｂＨ＆Ｃｏ．ＫＧから入手することができる。
【００２８】
本発明の特に好ましい実施形態で、少なくとも１つの連結部材が、ねじに配置された家具の足や、陳列台の足を調節可能に受けるためのねじ穴を備えていることが規定されている。これは、家具の足、または陳列台の足用の個別の受け具を不要にし、さらに、非常に簡単な方法で、家具や陳列構造のアイテムが、平らでない地面の上でも、その個別のラックまたは区画が水平になるように組み立てられることを可能にする。
【００２９】
特に、本発明によるモジュラーシステムを用いれば、２つの所与の壁モジュールを互いに組み合わせ、その各々が、１つの連結部材のみを使用すれば十分である。そのため、凹部が、壁モジュールの前面および後面から等距離に配置されている場合は、特に便利である。
【００３０】
接触領域がくさび形で、壁モジュールの壁面を始点として、４５度の角度で前述の壁面から外向きに延びて、互いに収束するサブ領域を備えていると、特に有利である。これは特に、受けられるべき関連する連結部材の、棒状部分の対応する長さに凹部を適合させることによって、家具または陳列構造のアイテムが組み立てられると、異なるモジュールのサブ領域同士の間に接触が生成され、接触領域のこの形状によって、特に、区画用の足として使用されている壁モジュールに加えられた力が、それに対して垂直に延びる、支持している壁モジュールに伝達されるのに有利となるためである。
【００３１】
本発明による家具のアイテム、または本発明による陳列構造は、家具または陳列構造のアイテムが、少なくとも部分的に、本発明による家具、陳列構造等のためのモジュラーシステムに基づいているということによって区別される。
【００３２】
特に好ましいのは、以下のような家具または陳列構造のアイテムである。家具または陳列構造のアイテムが立っている床に垂直に配置された壁モジュールの負荷が、床に向かう方向で連結部材に渡され、連結部材は、各壁モジュールを、床に垂直に配置された隣接する壁モジュールに連結している。そして、負荷は、連結部材から、この隣接する壁モジュールへと伝達される。
【００３３】
異なる壁モジュールの接触領域のサブ領域が、互いに支持されている場合、家具または陳列構造のアイテムの安定性に関して、特に有利である。
【００３４】
本発明は、図面に基づいて以下でさらに詳細に説明され、図面は本発明の特定の実施形態を示す。
【図面の簡単な説明】
【００３５】
【図１】モジュラーシステムから組み立てられた、家具のアイテムの１つの分解組立図として示された、家具、陳列構造等のためのモジュラーシステムである。
【図２ａ】図１に示すモジュラーシステムから組み立てられた、家具、陳列構造等の、組み立てられた状態のアイテムの部分である。
【図２ｂ】本発明によるモジュラーシステムによって可能になる負荷の伝達を示す、図２ａの拡大図である。
【図３ａ】図１の分解組立図の、第１の拡大図である。
【図３ｂ】図１の分解組立図の、第２の拡大図である。
【図３ｃ】Ｌ字形の連結部材の、第１の変形例の使用を示す、図３ｂの拡大図である。
【図３ｄ】Ｌ字形の連結部材の、第２の変形例の使用を示す、図３ｂの拡大図である。
【図４ａ】Ｌ字形の連結部材の断面図である。
【図４ｂ】Ｔ字形の連結部材の断面図である。
【発明を実施するための形態】
【００３６】
全ての図面で、同一の実施形態の同一の構成部品は、特に指示のない限り、同一の参照符号で示される。さらに、ある構成部品が複数回出現する図面において、図面の明確さを確保するために、その全てに関連する参照符号がつけられているわけではない。
【００３７】
図１、図２ａ、および図２ｂで、家具、陳列構造等のためのモジュラーシステムの構成部品は、透明なものとして示され、これは当然、実際の事例ではないが、より有益な表示をもたらしていることに、さらに注意しなければならない。
【００３８】
図１は、壁モジュール１００を有する、家具、陳列構造等のためのモジュラーシステム１０を示す。壁モジュール１００は、２つの大きい面１０１、１０２をもつプレート状の基本形状を有し、プレートの上側および下側と、４つの周縁面１０３、１０４、１０５、１０６とを形成する。
【００３９】
大きい面１０１、１０２は、これらの面１０１、１０２が、壁モジュール１００の壁面を形成するように、意図された通りに組み立てられた家具のアイテムの、壁部分として機能する。
【００４０】
周縁１０３、１０４は、壁モジュールの面であり、これによって、家具の組み立てられたアイテムにおいて、他の壁モジュールに連結される。つまり、端面１０３、１０４は、壁モジュール１００の接触領域である。その各々は、平坦な面としてではなく、くさび形の隣接した外形として設計され、各々が、サブ領域１０３ａ、１０３ｂ、１０４ａ、１０４ｂから形成される。サブ領域は、壁モジュール１００の壁面１０１、１０２を始点として、接触線１０３ｃ、１０４ｃに接触するまで、４５度の角度で外向きに延びて互いに接近する。
【００４１】
この形状は、特に、以下でさらに詳しく説明する、挿入される連結部材１５０、１６０、１７０の棒状部分の長さに対する、凹部１１０のそれに合わせた調整と組み合わせることによって、以下の結果がもたらされる。つまり、２つ、３つ、または４つの壁モジュール１００は、各サブ領域１０３ａ、１０３ｂ、１０４ａ、１０４ｂが、互いに隣接して位置するように、Ｌ字型、Ｔ字形、または十字形の形状に配列することができ、その結果、それらのサブ領域の上方に、水平に配置された壁モジュール１００は、垂直に配置された壁モジュール１００によって支持することができる。また、これによって、組み立てられた家具または陳列構造のアイテムの、前側および後側から見て、視線方向の連結部材１５０、１６０、１７０が隠されるように、閉じた面が生成されることも確実になる。
【００４２】
残りの端面は、壁モジュール１００の前面１０５、および後面１０６である。
【００４３】
さらに、図１に示す壁モジュール１００は、各々が凹部１１０を備え、そのうちの１つの設計は、図１と併せて、図３ａ、および図３ｂによる拡大された詳細から、特によく収集することができる。
【００４４】
壁モジュール１００の片側の接触領域１０３または１０４を始点として、凹部１１０は、壁モジュール１００の反対側に配置された側面の、対向する接触領域１０４または１０３に向かう方向に延びる。これにより凹部は、１つの壁面１０１から、対向して配置された壁面１０２へと壁モジュール１００を通り、互いに対向して配置された、壁モジュール１００の前面１０５および後面１０６の、部分１０５ａ、１０６ａ間に位置する。その結果、凹部は、壁モジュール１００が作られている材料によって３方を囲まれる。このようにして、実際に、この実施形態は、凹部１１０、および連結部材１５０、１６０、１７０の形状に関して、本明細書で純粋に例示的に説明されている。凹部は、第１の境界面１１１、および第２の境界面１１２を画定し、これらは、前面１０５、および後面１０６と平行に、かつ壁面１０１、１０２に垂直に延びて、凹部１１０と、壁モジュール１００の材料との間の境界の部分を画定している。一方、第３の境界面１１３は、前面１０５、および後面１０６に垂直に、かつ壁面１０１、１０２と垂直に延びている。
【００４５】
示されているように、３種類の連結部材が、家具、陳列構造等のためのモジュラーシステム１０に属し、例えば、図１に、Ｌ字形連結部材１５０、Ｔ字形連結部材１６０、および十字形連結部材１７０がある。その各々の形状は、例えば、図２ａ、図２ｂ、図３ａ、および図３ｂで、１５０ａ、１５０ｂ、１６０ａ〜１６０ｃ、１７０ａ〜１７０ｄの符号が付された棒状部分から組み立てられる。ここで、連結部材の全体形状を得るために、対応する棒状部分をどのように画定するかは重要ではない。この実施形態で、棒状部分１５０ａ、１５０ｂ、１６０ａ〜１６０ｃ、１７０ａ〜１７０ｄは、したがって、Ｌ字形、Ｔ字形、または十字形の連結部材の腕を表している。
【００４６】
図２ａは、図１にその組み立てられた状態が示されている、モジュラーシステム１０から組み立てられた、家具、陳列構造等のアイテムの部分を示す。この部分は、３つの壁モジュール１００から成り、壁モジュール１００のうちの２つが、床に垂直な方向に、一方が他方の上に重なって配置されるように、２つのＴ字形連結部材１６０を用いて互いに連結され、図２ａに示されていない接触線１０３ｃ、１０４ｃに沿って、互いに接触するように、Ｔ字形連結部材１６０によって互いに連結されている。それらに垂直に、つまり床と平行に延びている第３の壁モジュール１００は、図２ａに示されていないその接触領域１０４ａ、１０４ｂが、上側の壁モジュール、および下側の壁モジュールの接触領域の各々と接触するように、Ｔ字形連結部材１６０に配置されている。
【００４７】
図２は、接触領域１０３ａ、１０３ｂ、１０４ａ、１０４ｂのくさび形の設計のために、特に家具、陳列構造等の端部で、以前に発生したジレンマを示している。一方で、この設計は、実際に、家具または陳列構造の使用中に水平に延びている壁モジュール１００にかかる負荷を、床により近い場所で、垂直に延びている隣接する壁モジュールに伝達するのによく適している。しかしながら、他方で、第４の方向に安定性がないため、床に垂直な方向への負荷の伝達には問題がある。
【００４８】
しかしながら、図２ｂの拡大図が示すように、この問題は、本発明による凹部１１０および連結部材１５０、１６０、１７０の設計を介して、軽減することができる。この図では、壁モジュール１００によって生成されるか、または壁モジュール１００を介して伝えられるべき、垂直に働く力Ｆ１は、連結部材１６０に伝達され、そこから下側の壁モジュール１００に伝達される。一方で、連結部材１６０の設計が比較的大きいために、これは壁モジュール１００の厚さによって調節され、他方では、連結部材１６０と壁モジュール１００との間の接触領域が大きいために、負荷の伝達は、ほとんど、さらには完全に、連結部材１６０を介して行うことができる。また、強い力の影響下でも、図２ｂには示されていない凹部の幾何学的形状によって、その破損を安全に防止する。
【００４９】
図３ａおよび図３ｂに特によく見られるように、これらの図において、棒状部分に破線で例示として示されている断面Ｑは、凹部１１０の形状に適合する。
【００５０】
図３ａおよび図３ｂに、連結部材１５０、１７０に対する、壁モジュール１００の２つの異なる種類の固定が、例示として示されている。図３ａによる描写において、ねじ穴１７１が、連結部材１７０の４つの棒状部分の各々に穿孔され、前面１０５または後面１０６に、穴１７２が設けられている。これを通して、家具のアイテムの組み立て中に、壁モジュール１００と連結部材１７０との間に、確実で耐荷重性のある連結が生成されるように、ねじを挿入してねじ穴にねじ込むことができる。
【００５１】
固定のさらに別の可能性は、図３ｂに、Ｌ字形の連結部材１５０として例示的に示されている。より明確に理解するために、参照符号が図４ａおよび図４ｂと同様に付され、これらの図は連結部材１５０、１６０の断面を示す。これら連結部材は、ここで説明されている固定の可能性のために構成されている。
【００５２】
図３ｂに示すように、ほぞ１８１は、接触領域１０３に対向して配置された接触領域１０４の、凹部１１０にある境界面１８０の中心にねじ込まれ、凹部１１０はここから延びており、穴１８２がほぞを貫通している。穴は、丸い挿入部を有する穴であることが好ましい。ねじ穴１８２は、したがって、ペグ１８１をねじ込むことによって方向づけられ、その結果、壁モジュール１００の壁面１０１と１０２との間の連結線の方向に位置する。凹部１１０に挿入される、棒状部分１５０ａ、１５０ｂ、または１６０ａ〜１６０ｃには、各々、中央の第１の穴１５１または１６１が設けられ、これは、図４ａおよび図４ｂによる断面図で、最もよく見ることができる。穴１５１または１６１に挿入されたほぞ１８１が、壁面１０１、１０２と、連結部材１５０、１６０、１７０の対応する面との間に途切れのない移行部を生成するような方法で、これのらの穴がほぞ１８１に対応する。
【００５３】
連結部材１５０または１６０をこの位置に固定するために、第２の穴１５２または１６２が、棒状部分１５０ａ、１５０ｂ、または１６０ａ〜１６０ｃの各々に、さらに設けられる。これは、第１の穴１５１または１６１に垂直であり、各壁モジュール１００の壁面１０１、１０２の連結線の方向に延びている。凹部１１０において、家具または陳列構造のアイテムの組み立て中に、各棒状部分１５０ａ、１５０ｂ、または１６０ａ〜１６０ｃがその中に挿入されるが、連結部材１５０または１６０が、壁モジュール１００と組み合わされて穴１８２と連通する場合は、連結部材１５０は、特に、止めねじ１９２の使用を介した、穴１８２の係合によって、壁モジュール１００に連結できるか、または固定することができる。
【００５４】
図３ｃおよび図３ｄは、図３ｂに表された状態をそれぞれ示すが、連結部材１５５または１５９、および壁モジュール１００の対応する凹部の形状が異なっている。これらは特に、本発明による設計が、必ずしも棒状部分からの組み立てを必要としないことを示しているが、連結部材１５５、１５９には、部分的に、さらには全体的に異なる形状も可能であり、凹部１１０は、同様に、必ずしも長方形の基本形状を有する必要はない。重要なことは、壁モジュール１００と、壁モジュール１００に挿入される連結部材１５０、１５５、１５９、１６０または１７０との間に境界面を形成する面同士間の適合であり、すなわち、図３ｃおよび図３ｄにおいて、特に、面１５６、１５７、および１５３、１５４と、凹部内の、対応する壁モジュールの境界面１８３または１８４との適合である。特に、壁モジュール１００の各凹部で受けられる部分に関係するこの形状は、図３ｃおよび図３ｄに示すＬ字形の連結部材１５５、１５９で可能なだけでなく、Ｔ字形および十字形の連結部材にも適用可能であることは自明である。
【００５５】
図４ａおよび図４ｂは、追加の任意のねじ穴１９０を破線でさらに示している。ねじ穴１９０は、図１に示すような、ねじに設けられた家具足１９１を、各連結部材１５０、１６０、１７０の中、および必然的に、図３ｃおよび図３ｄに示す設計原理から生じた形状を有する連結部材１５５、１５９の中にも、ねじ込むことを可能にする。これにより、特に、家具または陳列台のアイテムの区画の床、またはラックの床を形成する壁モジュール１００の傾きを避けられるような方法で、モジュラーシステム１０から組み立てられた家具、またはそれから組み立てられた陳列構造のアイテムを、平らでない床でも組み立てる可能性がもたらされる。
【００５６】
必然的に、この取り付けの可能性は、十字形の連結部材にも直接適用される。これは、任意選択のねじ穴１９０を無視して、点線で示されている軸線Ａ−Ａの上方に位置する、Ｔ字形の連結部材１６０のその部分を、前述した軸線上で反射させれば、十字形の連結部材１７０の断面が得られると考えると、直接当てはまる。
【符号の説明】
【００５７】
１０  モジュラーシステム
１００  壁モジュール
１０１、１０２  壁面
１０３、１０４  接触領域
１０３ａ、１０３ｂ、１０４ａ、１０４ｂ  接触領域のサブ領域
１０３ｃ、１０４ｃ  接触線
１０５  前面
１０５ａ  前面の部分
１０６  後面
１０６ａ  後面の部分
１１０  凹部
１１１  第１の境界面
１１２  第２の境界面
１１３  第３の境界面
１５０、１５５、１５９  Ｌ字形の連結部材
１５０ａ、１５０ｂ  棒状部分
１５１、１６１  第１の穴
１５２、１６２  第２の穴
１５３、１５４、１５６、１５７  連結部材の面
１６０  Ｔ字形の連結部材
１６０ａ、１６０ｂ、１６０ｃ  棒状部分
１７０  十字形の連結部材
１７０ａ、１７０ｂ、１７０ｃ、１７０ｄ  棒状部分
１７１  ねじ穴
１７２  穴
１８０  壁部分
１８１  ほぞ
１８２、１９０  ねじ穴
１８３、１８４  壁モジュールの面
１９１  家具足
１９２  止めねじ
Ａ−Ａ  軸線
Ｑ  断面
【図１】
0006542675.tif 000002
【図２ａ】
0006542675.tif 000003
【図２ｂ】
0006542675.tif 000004
【図３ａ】
0006542675.tif 000005
【図３ｂ】
0006542675.tif 000006
【図３ｃ】
0006542675.tif 000007
【図３ｄ】
0006542675.tif 000008
【図４ａ】
0006542675.tif 000009
【図４ｂ】
0006542675.tif 000010